(57)【特許請求の範囲】
【請求項１】
駆動装置とケーブルとを介し連結され、上下方向を向く一対のレールにそれぞれ昇降可能に案内された移動体にウインドパネル下端縁を支持するストッパーを突設してなるウインドレギュレータのウインドパネル姿勢調整装置において、
少なくとも一方の移動体に突設されたストッパーは、脱着ストッパーであって、該脱着ストッパーは、移動体の取付面に穿設された係合孔に脱着可能であり且つ該脱着ストッパーには、移動体の取付面に当接する位置決め段部が形成され、
該位置決め段部より上部に、ウインドパネルの下端部を支持する支持部が形成され、
位置決め段部より下部には、係合孔に挿入される二股状の係合脚部が形成されており、
係合脚部先端には、係合孔縁部と係合する係合爪を有することを特徴とするウインドレギュレータのウインドパネル姿勢調整装置。
【請求項２】
請求項１記載のウインドレギュレータのウインドパネル姿勢調整装置であって、
移動体の係合孔は、突設された係合段部に穿設されており、
係合孔の脱着ストッパーの係合爪が係合する係合孔下方の周縁部には、係合段部から延設され下方に拡開する一対の補強リブが形成されていることを特徴とするウインドレギュレータのウインドパネル姿勢調整装置。
【請求項３】
請求項２記載のウインドレギュレータのウインドパネル姿勢調整装置であって、
一対の補強リブには、脱着ストッパーを係合孔に係合させたとき、係合孔下方の周縁部に係合した係合爪に向かい工具を案内する案内面が形成されていることを特徴とするウインドレギュレータのウインドパネル姿勢調整装置。
【請求項４】
駆動装置とケーブルとを介し連結され、上下方向を向く一対のレールにそれぞれ昇降可能に案内された一対の移動体に、ウインドパネル下端縁を支持するストッパーを突設してなるウインドレギュレータのウインドパネル姿勢調整方法において、
少なくとも一方の移動体に突設されたストッパーは、移動体に脱着可能な脱着ストッパーであって、
測定ゲージにウインドレギュレータを位置決めし、
ゲージの測定基準位置から移動体の取付面まで測定した長さを、取付面からウインドパネルの下端部までを支持するのに必要な長さとし、
この長さの支持部を有する脱着ストッパーを選択し、該脱着ストッパーを移動体の取付部に取り付けることを特徴とするウインドレギュレータのウインドパネル姿勢調整方法。
【発明の詳細な説明】
【０００１】
【発明の属する技術分野】
本発明は、ウインドレギュレータのウインドパネル姿勢調整装置に関し、特に駆動装置に伝達部材を介し連結され、上下方向を向く一対のレールに昇降可能に案内された移動体にウインドパネルの下端部を支持したウインドレギュレータのウインドパネル姿勢調整装置に関するものである。
【０００２】
【従来の技術】
このような装置は、例えば、特開平９−１６９２１３号公報に開示されているように、相互に平行でウインドパネルの走行方向にも平行であり且つ垂直よりわずかに傾斜した方向に向けられている一対のレールと、各レールの上を軸線に沿って摺動することのできるように取付けられた移動体と、各移動体に固着され且つウインドパネルを支持する締結支持部と、レールに沿って張渡したケーブルとを具備している。
【０００３】
前記ケーブルの一端部は、それぞれ一対のレールの間に配置されたモーターユニットからなる駆動装置に連係されている。ケーブルの他端部は、レールの両端部で遊動プーリを通過し、ウインドパネルの下端縁を支持する締結支持部が固着された移動体に連結されている。
【０００４】
【発明が解決しようとする課題】
この従来のウインドレギュレータにあっては、ケーブルは柔軟性が要求されるため、撚線から形成されている。このため、張力によって伸び縮みが発生し、端末部をケーブルに形成する際、正確に位置を合わせても、ウインドレギュレータの移動体に連結した場合、伸びが生じ、加工時における位置と変化が生じてしまうおそれがある。
【０００５】
また、ケーブルの端末部の位置が正確であっても、レールは、別々に車体に取り付けられるので、製造ラインでの取付の際、２本のレールの取付間隔が短くなると、２本のレールに掛け渡されたケーブルには、弛みが生じ、ケーブルに連結された移動体の高さが所定位置から変化してしまうおそれがある。
【０００６】
このように、ケーブル端末部が連結されている移動体のレール上での相互の高さが変化すると、移動体に支持されたウインドパネルが所定の姿勢から傾斜した状態となってしまい、見栄えが良くないという課題がある。また、ウインドパネルの昇降をガイドするグラスランにウインドパネルの縁が偏って摺動することになり、グラスランの劣化を早め部品の耐久性を低下させるおそれがある。
【０００７】
本発明は、このような従来の技術に着目してなされたもので、ケーブルの端末部やレールの取付位置のズレに起因して、２本のレール上の移動体の高さが相違した場合でも、ウインドパネルの姿勢が調整可能なウインドレギュレータを提供することを目的とする。
【０００８】
【課題を解決するための手段】
請求項１記載の発明は、駆動装置とケーブルを介し連結され、上下方向を向く一対のレールにそれぞれ昇降可能に案内された移動体にウインドパネル下端縁を支持するストッパーを突設してなるウインドレギュレータのウインドパネル姿勢調整装置において、少なくとも一方の移動体に突設されたストッパーは、脱着ストッパーであって、該脱着ストッパーは、移動体の取付面に穿設された係合孔に脱着可能であり且つ該脱着ストッパーには、移動体の取付面に当接する位置決め段部が形成され、該位置決め段部より上部に、ウインドパネルの下端部を支持する支持部が形成され、位置決め段部より下部には、係合孔に挿入される二股状の係合脚部が形成されており、係合脚部先端には、係合孔縁部と係合する係合爪を有することを特徴とする。
【０００９】
請求項１記載の発明によれば、２本のレール上の移動体同士の高さの寸法精度が確保出来なくても、ウインドパネルの姿勢を調整可能なので、見栄えが向上するとともにグラスラン等の構成部品の耐久性を向上させることが出来る。さらに少なくとも一方の移動体に突接されたストッパーは脱着ストッパーなので、取付が簡単で面倒な調整が不要である。
【００１１】
また、移動体の取付面に穿設された係合孔に、脱着ストッパーの係合脚部を挿入し、係合脚部先端に形成された係合爪でもって係合孔周縁部に係合させれば装着作業が完了するので、製造ラインにおける組み付け作業性が向上する。
【００１２】
請求項２記載の発明は、移動体の係合孔は、突設された係合段部に穿設されており、係合孔の脱着ストッパーの係合爪が係合する係合孔下方の周縁部には、係合段部から延設され下方に拡開する一対の補強リブが形成されているものである。
【００１３】
請求項２記載の発明によれば、係合孔に係合している脱着ストッパーの係合爪は、係合段部から延設され下方に拡開する一対の補強リブが形成されているので、製造ラインでの作業中もしくは輸送の途中に異物が当接し、脱着ストッパーが脱落するのを防止でき、組み付け信頼性が向上する。
【００１４】
請求項３記載の発明は、一対の補強リブには、脱着ストッパーを係合孔に係合させたとき、係合孔下方の周縁部に係合した係合爪に向かい工具を案内する案内面が形成されているものである。
【００１５】
請求項３記載の発明によれば、１度装着した脱着ストッパーを抜脱する際、係合爪を工具で狭持し、爪を変形させて脱着ストッパーを抜き取るが、補強リブの下面に案内面が形成されているので、工具先端を案内面に当接させ押し込むだけで、工具先端は係合爪の外側に案内されるので、脱着ストッパーの交換の作業性が向上する。
【００１６】
さらに、補強リブに工具の案内面を形成したので、部品構成が単純になりコスト低減につながる。
【００１７】
請求項４記載の発明は、駆動装置とケーブルとを介し連結され、上下方向を向く一対のレールにそれぞれ昇降可能に案内された一対の移動体に、ウインドパネル下端縁を支持するストッパーを突設してなるウインドレギュレータのウインドパネル姿勢調整方法において、少なくとも一方の移動体に突設されたストッパーは、移動体に脱着可能な脱着ストッパーであって、測定ゲージにウインドレギュレータを位置決めし、ゲージの測定基準位置から移動体の取付面まで測定した長さを、取付面からウインドパネルの下端部までを支持するのに必要な長さとし、この長さの支持部を有する脱着ストッパーを選択し、該脱着ストッパーを移動体の取付部に取り付ける方法である。
【００１８】
請求項４記載の発明によれば、支持部の高さの違う脱着ストッパーを所定種類用意しておき、測定ゲージの測定結果に基づき、対応する脱着ストッパーを装着すればよいので、ウインドパネルの姿勢調整の精度が向上する。
【００１９】
【発明の実施の形態】
本発明の第１の実施形態を図面に基づいて説明する。図１に示されるドア１にベースプレート２ａを介しウインドレギュレータ２は取り付けられている。ウインドレギュレータ２は、相互に平行でウインドパネル３の走行方向に平行であり、垂直よりわずかに傾斜した位置に向けられている２つのレール４，５と、各レール４，５の上を軸線に沿って摺動することのできるように取付けられた移動体６，７と、各移動体６，７に固着されウインドパネル３を支持する締結支持部８，９と、レール４，５に沿うとともにレール４，５間をＸ字状に掛け渡されたケーブル１０，１１とを具備している。各ケーブル１０，１１の端部は、図示省略した周知の手段で移動体６，７に連結されている
【００２０】
ケーブル１０，１１の一端部は、レール４，５の間に配置され且つＸ字状に掛け渡されたケーブル１０，１１の中央部に位置するとともにモーターユニット１２を有する駆動装置１３に連係されている。ケーブル１０，１１の他端部は、レール４，５の両端部で遊動プーリ１４を通過し、ウインドパネル３の下端縁３ａを支持する締結支持部８，９が固着された移動体６，７に連結されている。
【００２１】
レール４に沿って摺動することができるように配置された図示左方のフロント側の移動体６には、ウインドパネル姿勢調整装置Ｍが配設されている。移動体６の表面６ａには、ウインドパネル３の上下方向の位置を調整可能な脱着ストッパー１５が突設され、レール５に沿って摺動することができるように配置されたリア側の移動体７には、従来公知の固定ストッパー１６が突設されている。
【００２２】
移動体６の表面６ａには、係合段部６ｂが突設されている。係合段部６ｂの上面である取付面６ｃの中央部には、上下方向に沿って係合孔６ｄが穿設されている。係合段部６ｂの下面６ｅには、係合孔６ｄの周縁部６ｆ付近から一対の補強リブ６ｇが下向きコ字状に形成されている。一対の補強リブ６ｇは、移動体６の表面６ａに沿って下方に拡開している。さらに、補強リブ６ｇの下面は、係合孔６ｄ付近まで続く案内面６ｈが形成されている。
【００２３】
脱着ストッパー１５は、弾性変形可能な樹脂材で成形されている。脱着ストッパー１５は、上部にウインドパネル３の下端部３ａを支持する円弧状の支持部１５ａが形成され、下部には係合孔６ｄに挿入される二股状の係合脚部１５ｂが形成されている。係合脚部１５ｂの先端には、係合孔６ｄの周縁部６ｆと係合する係合爪１５ｃを有する。
【００２４】
支持部１５ａの下端には、位置決め段部１５ｄが形成され、係合脚部１５ｂが係合孔６ｄに挿入された際の支持部１５ａの係合段部６ｂの取付面６ｃに対する高さ方向の基準となっている。
【００２５】
締結支持部８は、移動体６に固着された固定部分８ａと、ウインドパネル３に直交する方向に配設されたボルト１７により、固定部分８ａにねじ孔１８ａでもって締結された押え板１８からなる。固定部分８ａと押え板１８は、プレス成形加工によって製造され、その間にウインドパネル３を締め付け固定するようになっている。
【００２６】
つぎに、本実施形態の脱着ストッパー１５を用いたウインドレギュレータ２のウインドパネル姿勢位置調整方法について、図６に基づいて説明する。
【００２７】
ベースプレート２ａに装着されたウインドレギュレータ２を測定ゲージ１９の基準ベース１９ａに取り付ける。基準ベース１９ａとベースプレート２ａとは、位置決めピン２ｂで位置決めされている。この時点で、脱着ストッパー１５は、まだ移動体６の係合段部６ｂに装着されていない。係合段部６ｂの取付面６ｃと固定ストッパー１６の上とにゲージバー１９ｂを揺動下降させる。ゲージバー１９ｂは、基端が基準ベース１９ａに枢止され棒状に形成されている、自由端が枢止軸１９ｃを中心に揺動可能となっており、水平状態が測定位置となっている。該測定位置に設定したゲージバー１９ｂの下端部１９ｄは、「測定基準位置」であり、係合段部６ｂの取付面６ｃとの長さＡを測定すれば、装着すべき脱着ストッパー１５の支持部１５ａの高さＢが分かる。脱着ストッパー１５の種類は、あらかじめ高さ別に数種類に設定されており、測定ゲージ１９による測定結果に従い、割り出された脱着ストッパー１５を係合段部６ｂの係合孔６ｄに装着する。このようにして装着された脱着ストッパー１５は、固定ストッパー１６と協働して、ウインドパネル３の下端縁３ａを正規状態の姿勢で支持することが出来る。
【００２８】
係合孔６ｄの周縁部６ｆから下方に延在する補強リブ６ｇは、係合孔６ｄに装着された脱着ストッパー１５の係合爪１５ｃの両側を護る形で形成されている。よって、製造工程の組み付け作業中において、係合爪１５ｃに下方から異物が当接し係合がはずれることを防止している。
【００２９】
ここで装着した脱着ストッパー１５を他の脱着ストッパー１５’に交換する必要が発生したとき、弾性変形可能な脱着ストッパー１５の係合爪１５ｃを工具Ｋで挟み変形させ、係合孔６ｄの周縁部６ｆとの係合を解除し、係合孔６ｄから脱着ストッパー１５を抜き取る。このとき、補強リブ６ｇは、移動体６の表面６ａに沿って下方に拡開していて、補強リブ６ｇの下面６ｅは、係合孔６ｄ付近まで続く案内面６ｈを有しているため、ペンチ等の工具Ｋの先端部を開いて補強リブ６ｇの案内面６ｈに押し当て、そのまま案内面６ｈに沿って奥に押し込んでいくと、工具Ｋの先端部は係合爪１５ｃの外側に案内される。よって、工具Ｋで係合爪１５ｃを狭持することが極めて容易となり、脱着ストッパー１５の交換時の抜き取り作業性が向上する。
【００３０】
【発明の効果】
請求項１記載の発明によれば、２本のレール上の移動体同士の高さの寸法精度が確保出来なくても、ウインドパネルの姿勢を調整可能なので、見栄えが向上するとともにグラスラン等の構成部品の耐久性を向上させることが出来る。
【００３１】
また、少なくとも一方の移動体に突接されたストッパーは脱着ストッパーなので、取付が簡単で面倒な調整が不要である。
【００３２】
さらに、移動体の取付面に穿設された係合孔に、脱着ストッパーの係合脚部を挿入し、係合脚部先端に形成された係合爪でもって、係合孔の周縁部に係合させれば装着作業が完了するので、製造ラインにおける組み付け作業性が向上する。
【００３３】
請求項２記載の発明によれば、係合孔に係合している脱着ストッパーの係合爪は、係合段部から延設され下方に拡開する一対の補強リブが形成されているので、製造ラインでの作業中もしくは輸送の途中に異物が当接し、脱着ストッパーが脱落するのを防止でき、組み付け信頼性が向上する。
【００３４】
請求項３記載の発明によれば、１度装着した脱着ストッパーを抜脱する際、係合爪を工具で狭持し、爪を変形させて脱着ストッパーを抜き取るが、補強リブの下面に案内面が形成されているので、工具先端を案内面に当接させ押し込むだけで、工具先端は係合爪の外側に案内されるので脱着ストッパーの交換の作業性が向上する。
【００３５】
請求項４記載の発明によれば、支持部の高さの違う脱着ストッパーを所定種類用意しておき、測定ゲージの測定結果に基づき、対応する脱着ストッパーを装着すればよいので、ウインドパネルの姿勢調整の精度が向上する。
【図面の簡単な説明】
【図１】  本発明の一実施形態に係わるウインドレギュレータが取り付けられたドアを示す側面図。
【図２】  本発明の一実施形態のウインドパネル姿勢調整装置を示す斜視図。
【図３】  図２のウインドパネル姿勢調整装置を示す拡大側面図。
【図４】  図３の側面図。
【図５】  図２のウインドパネル姿勢調整装置を下方から見た斜視図。
【図６】  本発明の実施形態に係わるウインドパネル姿勢調整方法を示す側面図。
【符号の説明】
Ｍ  ウインドパネル姿勢調整装置
２  ウインドレギュレータ
３  ウインドパネル
３ａ  下端縁
４，５  レール
６，７  移動体
６ｂ  係合段部
６ｃ  取付面
６ｄ  係合孔
６ｇ  補強リブ
６ｆ  周縁部
６ｈ  案内面
１０，１１  ケーブル
１３  駆動装置
１５  脱着ストッパー（ストッパー）
１５ａ  支持部  １５ｂ  係合脚部
１５ｃ  係合爪
１５ｄ  位置決め段部
１６  固定ストッパー
１９  測定ゲージ
１９ｄ  下端部（測定基準位置）
Ａ  取付面から測定基準位置までの長さ
Ｂ  支持部の高さ
Ｋ  工具
【図１】
0003737317.tif 000002
【図２】
0003737317.tif 000003
【図３】
0003737317.tif 000004
【図４】
0003737317.tif 000005
【図５】
0003737317.tif 000006
【図６】
0003737317.tif 000007